(57)【要約】【課題】制御装置の取り付け容易化を図る。【解決手段】配線構造体９が止ねじ６０で部品取付構造体３に取り付けられ、取付台１６が止ねじ６１で部品取付構造体３に取り付けられ、配線コネクタ１２が取付台１６の逃孔１８から突出した格好となった後、制御装置１が取付台１６に嵌め込まれ、係合レバー２４のフック２６が案内溝４１から斜面４６を越えて確認溝４２に落ち込んで、係合部４３に係合し、配線コネクタ１２と制御コネクタ４９とが互いに嵌め合わされて接続し、制御装置１が止ねじ６２で台取付部４に固定される。【選択図】図１
2005185390.tif 000002
【特許請求の範囲】
【請求項１】
遊技盤の裏面には係合レバーを有する取付台が設けられ、電気部品の実装された回路基板を内蔵した制御筐体からなる制御装置が回路基板の板面を遊技盤の裏面と直交するように取付台に嵌め込まれ、係合レバーのフックが制御筐体に係合することによって、制御装置が遊技盤の裏面に取り付けられる遊技制御取付装置において、制御筐体が案内溝と確認溝と係合部および把持溝を取付台の係合レバーの側に位置する外壁に備え、案内溝が制御筐体における取付台の側に位置する前縁から裏側方向中間位置まで連なるとともに係合レバーのフックの挿入可能な幅を有して外壁の外側面から内部に帯状に窪む形状であり、確認溝が外壁の後縁から案内溝の手前まで連なるとともに案内溝よりも幅が広くて外壁の外側面から内部に帯状に窪む形状であり、確認溝における外壁の外側面からの深さが案内溝における外壁の外側面からの深さよりも深く、係合部が確認溝の行き止まりとなった部分における縦面により形成され、把持溝が案内溝および確認溝の少なくとも一側に位置するとともに案内溝および確認溝と直交する方向に長くて外壁の外側面から内部に帯状に窪む形状であることを特徴とする遊技制御取付装置。
【請求項２】
制御筐体が他方の外壁に把持突起を備えたことを特徴とする請求項１記載の遊技制御取付装置。
【請求項３】
案内溝の行き止まり部分が斜面で係合部に連なることを特徴とする請求項１記載遊技制御取付装置。
【請求項４】
取付台が可撓性配線と補強体と配線コネクタとからなる配線構造体を備え、制御装置が制御筐体における取付台の側に位置する側面から制御コネクタが外側に突出する形態に備え、制御装置が取付台に取り付けられる場合に制御コネクタと配線コネクタが互いに接続されることを特徴とする請求項１記載の遊技制御取付装置。
【発明の詳細な説明】
【技術分野】
【０００１】
本発明は、制御装置の取り付けやすい遊技制御取付装置に関する。
【背景技術】
【０００２】
パチンコ機の遊技制御取付装置には、次のような構造が知られている。それは、遊技盤の裏面にはセット板と呼ばれる部品取付構造体が固定され、部品取付構造体の裏面には取付台が設けられ、取付台には電気部品の実装された回路基板の内蔵された制御筐体からなる制御装置が嵌め込めることによって、制御装置の回路基板の板面が遊技盤の裏面と直交するように、制御装置が遊技盤の裏面に縦置き配置に取り付けられた構造である。しかしなながら、制御筐体の外側面が滑らかで、取付台への挿入案内や係合確認を備えていないため、作業者が制御装置を取付台に装着する場合、制御装置を持ちづらく、制御装置を取付台に嵌め込みにくく、制御装置の取付台への係合確認をやりにくいという欠点がある。
【特許文献１】特開２０００−１６７１９５公報
【特許文献２】特開２００１−３４７０２７公報
【発明の開示】
【発明が解決しようとする課題】
【０００３】
発明が解決しようとする問題点は、制御装置が取り付けにくいという点である。
【課題を解決するための手段】
【０００４】
本発明の遊技制御取付装置は、遊技盤の裏面には係合レバーを有する取付台が設けられ、電気部品の実装された回路基板を内蔵した制御筐体からなる制御装置が、回路基板の板面を遊技盤の裏面と直交するように、取付台に嵌め込まれ、係合レバーのフックが制御筐体に係合することによって、制御装置が遊技盤の裏面に取り付けられる遊技制御取付装置において、制御筐体が案内溝と確認溝と係合部および把持溝を取付台の係合レバーの側に位置する外壁に備え、案内溝が制御筐体における取付台の側に位置する前縁から裏側方向中間位置まで連なるとともに係合レバーのフックの挿入可能な幅を有して外壁の外側面から内部に帯状に窪む形状であり、確認溝が外壁の後縁から案内溝の手前まで連なるとともに案内溝よりも幅が広くて外壁の外側面から内部に帯状に窪む形状であり、確認溝における外壁の外側面からの深さが案内溝における外壁の外側面からの深さよりも深く、係合部が確認溝の行き止まりとなった部分における縦面により形成され、把持溝が案内溝および確認溝の少なくとも一側に位置するとともに案内溝および確認溝と直交する方向に長くて外壁の外側面から内部に帯状に窪む形状であるたことを最も主要な特徴とする。制御筐体が他方の外壁に把持突起を備えたり、案内溝の行き止まり部分が斜面で係合部に連なったり、取付台が可撓性配線と補強体と配線コネクタとからなる配線構造体を備え、制御装置が制御筐体における取付台の側に位置する側面から制御コネクタが外側に突出する形態に備え、制御装置が取付台に取り付けられる場合に制御コネクタと配線コネクタが互いに接続されたりすることも特徴とする。
【発明の効果】
【０００５】
本発明の遊技制御取付装置は、作業者が、制御装置を取付台に嵌め込む場合、フックを案内溝に挿入したまま、制御装置を取付台の方に直進させれば、案内溝が制御装置を取付台の方に誘導するので、制御装置を取付台に嵌め込みやすく、制御装置が取付台に取り付けられた状態において、作業者が制御装置を後側から見ることによって、フックが係合部に正確に係合しているか否かを容易に確認することができ、作業者が、制御装置を持つ場合、掌を、制御コネクタが設けられた一側面と対となる他側面に置き、指を把持溝の有る外壁の方に折り曲げて、指先を把持溝に入り込み、制御装置を持ちやすくなるという利点がある。制御筐体が他方の外壁に把持突起を備えれば、作業者が、制御装置を持つ場合、指で保持突起を上から押え付けることによって、制御装置を持ちやすくなるという利点がある。案内溝の行き止まり部分が斜面で係合部に連なれば、フックが案内溝から係合部に係合する過程での、挿入が楽であるという利点がある。制御装置が制御筐体における取付台の側に位置する側面から制御コネクタが外側に突出する形態に備え、制御装置が取付台に取り付けられる場合に制御コネクタと配線コネクタが互いに接続されれば、制御コネクタの電気端子と配線コネクタの電気端子とが嵌り合う場合、補強体が、制御コネクタから配線コネクタに働く押圧力を負担し、配線コネクタが遊技盤の方向に逃げるこなく、制御コネクタの電気端子と配線コネクタの電気端子とが、適切に接続されるという利点がある。
【発明を実施するための最良の形態】
【０００６】
図１−図９は、一実施形態である。図１は、遊技制御取付装置を分解して示す。図２は、制御装置の図１と反対側を示す。図３は、配線構造体の断面を示す。図４は、制御装置を取付台に嵌め込む形態を示す。図５と図６および図７は、制御装置が取付台に取り付けられた形態を示す。図８は、制御装置の持ち方を示す。図９は、遊技盤の裏側を示す。
【０００７】
図９を参照し、パチンコ機の遊技盤の裏機構について説明する。遊技盤２は、裏面に、セット板と呼ばれる部品取付構造体３を備える。部品取付構造体３は、遊技盤２の前面の図外のガイドレールで囲まれた内側の遊技領域に設けられた入賞部品に取り込まれた後に当該入賞部品から遊技盤の裏面に排出された球を、下方に誘導して排出する。遊技盤２の裏側には、遊技盤の前面に設けられた遊技部品の裏機構が、遊技盤に形成された図外の逃孔や部品取付構造体３に形成された逃孔６８を経由して突出する。遊技盤２の裏側に突出した裏機構を有する遊技部品は、複数の図柄表示器６９；７０、可動部品７１、図外の種類を異にする複数の入賞部品、図外のサイドランプなどである。図柄表示器６９は、遊技領域の中央に設けられ、液晶表示器、ＣＲＴ表示器、プラズマディスプレイなどのような、電気的に表示形態の変えられる画像を表示画面に表示する画像表示器により形成され、裏機構として図柄制御装置７２を備える。図柄表示器７０は、遊技領域の右下部に設けられ、複数の図柄の印刷された図柄表示体をステップモータで回転する構造であって、裏機構として図外のステップモータを備える。部品取付構造体の裏面には、可撓性配線１０、主制御装置７３、複合制御装置７４が設けられる。可撓性配線１０は、遊技盤に設けられた電気部品と遊技機枠に設けられた電気部品とを接続する多数本の箔形状の電線および箔形状の電極７５が、可撓性を有する合成樹脂基板の表面に付設された構造である。電極７５はラウンドと呼ばれ、各電極７５からは上記箔形状の電線が個別に延設される。電線の表面は、レジスト膜のような電気絶縁材で被覆され、人の接触から保護される。可撓性配線１０には、主制御装置７３、複合制御装置７４、可動部品７１の駆動源、図柄表示器７０のステップモータ、可変入賞部品７６の駆動源、入賞部品の球を検出する図外の球検出器、図１に示す配線コネクタ１２などが接続される。図９において、符号７７は遊技盤２を遊技機枠に取り付けるために遊技盤２の一側部に設けられたヒンジ、符号７８は遊技盤２を遊技機枠に取り付けるために遊技盤２の他側部に設けられた取付部、符号７９は取付部７８の表裏面に貫通する遊技機枠の取付操作体を挿入する挿入孔である。図２において、左右は、遊技盤２を前面の側から見た方向である。
【０００８】
図１を参照し、主制御装置７３および複合制御装置７４に相当する制御装置１を遊技盤２に取り付ける遊技制御取付装置の構造について説明する。遊技盤２の裏面に固定された部品取付構造体３には、台取付部４および配線取付部５が、左右または上下の方向に離れた位置で、部品取付構造体３から裏側に突出する。台取付部４および配線取付部５には、ねじ取付孔６；７が、裏面から内部に窪む格好で設けられる。台取付部４における部品取付構造体３の裏面からの高さは、配線取付部５における部品取付構造体３の裏面からの高さよりも低い。台取付部４における左右または上下の方向に離れた間隔は、配線取付部５における左右または上下の方向に離れた間隔よりも広い。配線構造体９は、可撓性配線１０と補強体１１と配線コネクタ１２とを備える。可撓性配線１０には、合成樹脂からなる板状の補強体１１が、部品取付構造体３の側に位置する面（以下、可撓性配線１０の表面と称する）に付設され、配線コネクタ１２が、制御装置１の側に位置する面（以下、可撓性配線１０の裏面と称する）に付設される。ねじ挿入孔１３が、配線取付部５のねじ挿入孔７と対応する位置で、可撓性配線１０と補強体１１との表裏面に貫通する。逃孔１４が、一方の台取付部４と対応する位置で、可撓性配線１０と補強体１１との表裏面に貫通する。ねじ挿入孔１３が、配線取付部５のねじ挿入孔７と対応した場合、可撓性配線１０と補強体１１との端部は、他方の台取付部４と干渉しないように、当該他方の台取付部４よりも配線取付部５の側に位置する。
【０００９】
取付台１６は、制御装置１を取り付けるための部品であって、制御装置１における制御筐体３３の一側面と略同じ大きさの方形な板状の底壁１７を備える。底壁１７には、コネクタ逃孔１８が形成される。底壁１７の周縁からは、周壁１９が、底壁１７を囲む格好で、裏側に突出する。周壁１９からは、相対峙する一対の横受体２０；２１が、裏側に、方形な板状に突出する。一対の横受体２０；２１の外側面からは、複数のリブ２２；２３が、可撓性配線１０の側と制御装置１の側と（以下、取付台１６の表裏方向と称する）に延びる凸条に突出する。一方の横受体２０からは、係合レバー２４および複数の台側締結部２５が、突出する。係合レバー２４は、横受体２０；２１から裏側に向けて直線的に延びる板状である。係合レバー２４には、フック２６が、横受体２０から裏側に向けて直線的に延びた端部の位置で、内側に突出する。係合レバー２４からは、操作部２７が、フック２６の位置から外側に折れ曲がった後に裏側に向けて直線的に折れ曲がった形態に、突出する。台側締結部２５は、横受体２０から係合レバーと直交する方向の外側に突出する。台側締結部２５には、ねじ取付孔２８が、台側締結部２５の裏面から内部に窪むか、または、台側締結部２５の表裏面に貫通する。周壁１９からは、複数の取付足２９が、一対の横受体２０；２１の相対峙する方向と直交する方向の位置で、外側に突出する。複数の取付足２９の個数および位置は、台取付部４と同じである。取付足２９には、ねじ挿入孔３０が、表裏面に貫通する。
【００１０】
制御装置１は、制御に必要な電気部品の実装された回路基板３２を、光透過性の有る合成樹脂からなる制御筐体３３に内蔵した、構造である。制御筐体３３は、回路基板３２における電気部品の実装された板面と対向する一対の外壁３４；３５と、これらの外壁３４；３５に連なる二対の側壁３６；３７；３８；３９とからなる六面体である。一対の外壁３４；３５は、二対の側壁３６−３９よりも広い面積を有する。二対の側壁３６−３９の横幅は、一対の外壁３４；３５の前後幅よりも小さい。制御筐体３３は、案内溝４１、確認溝４２、係合部４３、把持溝４４、筐体側締結部４５を、取付台１６の係合レバー２４の側に位置する外壁３４に備える。案内溝４１は、外壁３４における取付台１６の側に位置する前縁から裏側方向中間位置まで連なり、フック２６の挿入可能な幅を有し、外壁３４の外側面から内部に帯状に窪む形状である。案内溝４１の行き止まりとなった裏側方向中間位置には、斜面４６が、案内溝４１の底面と係合部４３とに連接された形状に形成される。斜面４６は、案内溝４１から係合部４３の方に行くにしたがって徐々に外壁３４の外側面の方に行く傾斜である。確認溝４２は、外壁３４の後縁から案内溝４１の手前まで連なり、案内溝４１よりも幅が広く、外壁３４の外側面から内部に帯状に窪む形状である。確認溝４２における外壁３４の外側面からの深さは、案内溝４１における外壁３４の外側面からの深さより深い。係合部４３は、確認溝４２の行き止まりとなった部分における縦面により形成される。把持溝４４は、案内溝４１および確認溝４２の両側に位置し、案内溝４１および確認溝４２と直交する方向に長い、外壁３４の外側面から内部に帯状に窪む形状である。筐体側締結部４５には、ねじ挿入孔４７が、表裏面に貫通する。
【００１１】
図２を参照し、制御装置１の図１と反対側の構造について説明する。制御筐体３３は、回路基板３２の板面と対向する他方の外壁３５には、複数の把持突起４８が、図１の把持溝４４と対応する位置で、外壁３５から外側に、半球形に突出する。制御筐体３３における取付台１６の側に位置する側壁３６からは、回路基板３２に実装された制御コネクタ４９が、外側に突出する。
【００１２】
図３を参照し、配線構造体９の構造について説明する。配線コネクタ１２の電極における合成樹脂製のコネクタボディ５１から突出した電気端子足５２が、補強体１１と可撓性配線１０とに形成されたピン挿入孔５３に、補強体１１の側から可撓性配線１０の側に挿入される。そして、可撓性配線１０のラウンドと呼ばれる取付電極５４と電気端子足５２とが、半田５５で、接続される。ボルト５６が、補強体１１と可撓性配線１０とおよびコネクタボディ５１の取付足２９のそれぞれに形成されたねじ取付孔５７に、可撓性配線１０の側から取付足２９の側に挿入され、取付足２９から突出したボルト５６にナット５８が締結される。これによって、配線コネクタ１２が、補強体１１を介在させて可撓性配線１０にボルト５６とナット５８とで取り付けられる。
【００１３】
次に、遊技制御取付装置の組み立て方について説明する。配線構造体９の逃孔１４が、台取付部４に挿入された後、タッピングスクリューのような止ねじ６０が、配線構造体９のねじ挿入孔１３から、配線取付部５のねじ取付孔７に締結されることによって、配線構造体９が部品取付構造体３に取り付けられる。次に、取付台１６のコネクタ逃孔１８が、配線構造体９の配線コネクタ１２に挿入され、タッピングスクリューのような止ねじ６１が、取付台１６のねじ挿入孔３０から、台取付部４のねじ取付孔６に締結されることによって、配線コネクタ１２が、取付台１６の逃孔１４から突出した格好で、取付台１６が、部品取付構造体３に取り付けられる。その後、制御装置１の制御筐体３３が取付台１６に嵌め込まれる。その場合、図４に示すように、作業者が、制御装置１を、手６６で持ち、案内溝４１が係合レバー２４の側に向けられる。そして、係合レバー２４のフック２６が案内溝４１に取り込まれる。その状態のまま、制御筐体３３が、フック２６をガイドとして、取付台１６の方向に直進される。それに伴い、制御筐体３３における一対の外壁３４；３５が、取付台１６の一対の横受体２０；２１の間に、対の横受体２０；２１で両側から挟まれる格好で、滑り込んだ後、制御コネクタ４９の電気端子と配線コネクタ１２の電気端子とが、互いに、接続される。引き続く、上記制御筐体３３の直進により、係合レバー２４のフック２６が、案内溝４１から斜面４６を越えて確認溝４２に落ち込んで、係合部４３に係合する。その後、タッピングスクリューのような止ねじ６２が、筐体側締結部４５の図１に示すねじ挿入孔４７から台側締結部２５の図１に示すねじ取付孔２８に締結される。これによって、図５−図７に示すように、制御装置１が台取付部４に固定される。制御装置１が、台取付部４および部品取付構造体３を介して、遊技盤２の裏面に取り付けられるとともに、可撓性配線１０に接続される。
【００１４】
実施形態によれば、図５−図７に示すように、組み立てられた遊技制御取付装置は、確認溝４２が、制御筐体３３の後縁に開口した構造であるので、作業者が制御装置１を後側から見ることによって、フック２６が係合部４３に正確に係合しているか否かを容易に確認することができるという利点がある。確認溝４２の幅が、フック２６よりも広く形成された構造であるので、確認溝４２の幅が、フック２６と同じ程度に狭い場合に比べ、フック２６の係合部４３への係合の確認が、一層、容易となるという利点がある。係合レバー２４のフック２６の挿入可能な幅を有する案内溝４１が制御筐体３３における取付台１６の側に位置する前縁から裏側方向中間位置まで連なった形状で設けられた構造であるので、作業者が、制御装置１を取付台１６に嵌め込む場合、フック２６を案内溝４１に挿入したまま、制御装置１を取付台１６の方に直進させれば、案内溝４１が制御装置１を取付台１６の方に誘導するので、制御装置１を取付台１６に嵌め込みやすくなるという利点がある。案内溝４１の行き止まり部分が、斜面４６で、係合部４３に連なった構造であるので、フック２６が案内溝４１から係合部４３に係合する過程での、挿入が楽であるという利点がある。確認溝４２が案内溝４１よりも深く、係合部４３が確認溝４２の行き止まりとなった部分における縦面により形成された構造であるので、フック２６が係合部４３に深く係合するという利点がある。止ねじ６２が、制御筐体３３から取付台１６に締結された構造であるので、制御コネクタ４９と配線コネクタ１２との接続が、維持できるという利点がある。可撓性配線１０が、補強体１１で支持された構造であるので、制御コネクタ４９の電気端子と配線コネクタ１２の電気端子とが嵌り合う場合、補強体１１が、制御コネクタ４９から配線コネクタ１２に働く押圧力を負担し、配線コネクタ１２が遊技盤２の方向に逃げるこなく、制御コネクタ４９の電気端子と配線コネクタ１２の電気端子とが、適切に接続されるという利点がある。配線取付部５が、配線コネクタ１２の近い位置に配置された構造であるので、上記補強体１１が押圧力を負担する場合の撓みが、一層、低減できるという利点がある。
【００１５】
図８を参照し、実施形態による制御装置１の持ち方について説明する。作業者が、手６６で制御装置１を持つ場合、掌を、制御コネクタ４９が設けられた一つの側壁３６と対となる他の側壁３８に置き、人差し指、中指、薬指および小指を把持溝４４の有る外壁３４の方に折り曲げることによって、係る４本の指先が１個の把持溝４４に入り込み、親指を把持突起４８の有る外壁３５の方に広げることによって、親指の指先が複数の把持突起４８の少なくとも１個を上から押え付ける。結果として、作業者が、制御装置１を持ちやすくなるという利点がある。
【産業上の利用可能性】
【００１６】
制御装置１は、主制御装置７３および複合制御装置７４以外の、表示灯制御装置、音制御装置１、発射制御装置、払出制御装置、演出制御装置などと呼ばれる、遊技を制御する制御装置１であればよい。
【図面の簡単な説明】
【００１７】
【図１】遊技制御取付装置を示す分解斜視図（一実施形態）。
【図２】制御装置を示す斜視図（同実施形態）。
【図３】配線構造体を示す断面図（同実施形態）。
【図４】制御装置が取付台に嵌め込まれる形態を示す正面図（同実施形態）。
【図５】制御装置が取付台に取り付けられた形態を示す正面図（同実施形態）。
【図６】制御装置が取付台に取り付けられた形態を示す斜視図（同実施形態）。
【図７】制御装置が取付台に取り付けられた形態を示す断面図（同実施形態）。
【図８】制御装置の持ち方を示す３面図（同実施形態）。
【図９】遊技盤の裏側を示す斜視図（同実施形態）。
【符号の説明】
【００１８】
１    制御装置
２    遊技盤
９    配線構造体
１０  可撓性配線
１１  補強体
１２  配線コネクタ
１６  取付台
２６  フック
２４  係合レバー
３２  回路基板
３３  制御筐体
３４  外壁
３５  外壁
４１  案内溝
４２  確認溝
４３  係合部
４４  把持溝
４６  斜面
４８  把持突起
４９  制御コネクタ
【図１】
2005185390.tif 000003
【図２】
2005185390.tif 000004
【図３】
2005185390.tif 000005
【図４】
2005185390.tif 000006
【図５】
2005185390.tif 000007
【図６】
2005185390.tif 000008
【図７】
2005185390.tif 000009
【図８】
2005185390.tif 000010
【図９】
2005185390.tif 000011